(57)【要約】【課題】捨てコン上への配置、固定を容易とし、かつ柱脚を構成するためのコンクリート打設をも容易に行うことのできる柱脚鉄筋ユニットを用いた構築物の構築方法を提供する。【解決手段】捨てコン打設工程と、前記捨てコンが硬化した後、柱脚部を構成する鉄筋をユニットとして予め組み上げた柱脚鉄筋ユニット１０を前記捨てコン上に配置、固定する鉄筋ユニット配置工程と、柱脚鉄筋ユニット１０に対して基礎梁主筋や基礎肋筋を挿通配置する基礎筋配置工程と、柱脚鉄筋ユニット１０の周囲に基礎の一部を形成するコンクリートを打設する基礎コンクリート一部打設工程と、前記柱脚鉄筋ユニット上に柱を配置固定し、梁を架設する柱梁建て方工程と、前記基礎コンクリート一部打設工程以後の基礎工事を行う基礎残部打設工程と、を有する工法において、前記柱梁建て方工程と、前記基礎残部打設工程とを並行して行うことを特徴とする。【選択図】図１
2019056284.tif 000002
【特許請求の範囲】
【請求項１】
複数の主筋と、複数の前記主筋を取り囲むように配置された複数の肋筋とを有する柱脚基礎打設用鉄筋部と、
前記柱脚基礎打設用鉄筋部の内部に配置され、柱との接合を担うアンカー部と、を有し、
前記柱脚基礎打設用鉄筋部には、当該柱脚基礎打設用鉄筋部の断面形状を維持する主筋位置保持プレートが複数備えられ、
前記アンカー部は、前記主筋位置保持プレートに固定されていることを特徴とする柱脚鉄筋ユニット。
【請求項２】
捨てコン打設工程と、
前記捨てコンが硬化した後、柱脚部を構成する鉄筋をユニットとして予め組み上げた柱脚鉄筋ユニットを前記捨てコン上に配置、固定する鉄筋ユニット配置工程と、
前記柱脚鉄筋ユニットに対して基礎梁主筋や基礎肋筋を挿通配置する基礎筋配置工程と、
前記柱脚鉄筋ユニットの周囲に基礎の一部を形成するコンクリートを打設する基礎コンクリート一部打設工程と、
前記柱脚鉄筋ユニット上に柱を配置固定し、梁を架設する柱梁建て方工程と、
前記基礎コンクリート一部打設工程以後の基礎工事を行う基礎残部打設工程と、
を有する構築物の構築方法であって、
前記柱梁建て方工程と、前記基礎残部打設工程とを並行して行うことを特徴とする柱脚鉄筋ユニットを用いた構築物の構築方法。
【請求項３】
前記柱梁建て方工程には、上階床工事を含むことを特徴とする請求項２に記載の柱脚鉄筋ユニットを用いた構築物の構築方法。
【請求項４】
前記柱梁建て方工程と、前記基礎残部打設工程は、平面的に区分けされた複数のスパン毎に行われ、前記柱梁建て方工程を実施するスパンと、前記基礎残部打設工程を実施するスパンとを異ならせたことを特徴とする請求項２又は３に記載の柱脚鉄筋ユニットを用いた構築物の構築方法。
【発明の詳細な説明】
【技術分野】
【０００１】
本発明は、柱脚部を先組した鉄筋ユニット（鉄筋かご）を用いた構築物の構築方法に関する。
【背景技術】
【０００２】
従来より、施工の省略化及び工期短縮を目的として、基礎躯体のプレキャスト（ＰＣａ）工法やアンカーフレームを用いた施工方法などが実用化されてきている。例えば、特許文献１には、アンカー用フレームを用いた施工方法が開示されている。
【０００３】
特許文献１に開示されている施工方法では、アンカー用フレームとして、本体をアングル材により矩形に形成し、この本体を基点としてアンカーボルトを立設させたものを採用している。そして、このアンカー用フレームには、本体下部に調整ボルトが備えられ、アンカー用フレームの傾きを調整し、アンカーボルトの位置決めを高精度に実施することができることが記載されている。
【０００４】
このような構成のアンカー用フレームを用いた施工方法では、まず、捨てコン上に主筋と肋筋から成る基礎柱型筋を配置固定し、その外側にかぶせるにように、アンカー用フレームを配置する。その後、調整ボルトでアンカー用フレームの位置調整を行い、フーチングや地中梁のための主筋や肋筋を配置し、コンクリートの打設を行う。このような特徴を持った施工方法によれば、基礎柱脚のアンカーボルトの位置決めを高精度に行うことができることが記載されている。
【０００５】
しかし、特許文献１に記載の施工方法では、アンカー用フレームと基礎柱型筋を別体としているため、２つの構造物を個別に制作し、施工現場に搬入するタイミングを合わせる必要がある。
【０００６】
また、在来工法で基礎を構築する場合、基礎全体（フーチングと地中梁）の工事を完成させ、その後に上部構造の工事に着手するという施工手順が採られることが一般的である。そうした場合、各スパンについて基礎工事と上部構造工事との間に待ち時間が発生し、全体工期が長期化するという問題がある。
【先行技術文献】
【特許文献】
【０００７】
【特許文献１】特開平７−２９２６８３号公報
【発明の概要】
【発明が解決しようとする課題】
【０００８】
本発明では、基礎工事の完成を待たずに上部構造の構築を進めることができ、構築物を構築する際の施工期間を短縮することを可能とする柱脚鉄筋ユニット、および構築物の構築方法を提供することを目的とする。
【課題を解決するための手段】
【０００９】
上記目的を達成するための柱脚鉄筋ユニットは、複数の主筋と、複数の前記主筋を取り囲むように配置された複数の肋筋とを有する柱脚基礎打設用鉄筋部と、前記柱脚基礎打設用鉄筋部の内部に配置され、柱との接合を担うアンカー部と、を有し、前記柱脚基礎打設用鉄筋部には、当該柱脚基礎打設用鉄筋部の断面形状を維持する主筋位置保持プレートが複数備えられ、前記アンカー部は、前記主筋位置保持プレートに固定されていることを特徴とする。
【００１０】
また、上記のような特徴を有する柱脚鉄筋ユニットを用いた構築物の構築方法は、捨てコン打設工程と、前記捨てコンが硬化した後、柱脚部を構成する鉄筋をユニットとして予め組み上げた柱脚鉄筋ユニットを前記捨てコン上に配置、固定する鉄筋ユニット配置工程と、前記柱脚鉄筋ユニットに対して基礎梁主筋や基礎肋筋を挿通配置する基礎筋配置工程と、前記基礎柱脚鉄筋ユニットの周囲基礎の一部を形成するコンクリートを打設する基礎コンクリート一部打設工程と、前記柱脚鉄筋ユニット上に柱を配置固定し、梁を架設する柱梁建て方工程と、前記基礎コンクリート一部打設工程以後の基礎工事を行う基礎残部打設工程と、を有する構築物の構築方法であって、前記柱梁建て方工程と、前記基礎残部打設工程とを並行して行うことを特徴とする。
【００１１】
また、上記特徴を有する柱脚鉄筋ユニットを用いた構築物の構築方法において前記柱梁建て方工程には、上階床工事を含む。このような特徴を有する事により、上階の床工事も、基礎残部打設と同時進行で行う事が可能となる。
【００１２】
さらに、上記特徴を有する柱脚鉄筋ユニットを用いた構築物の構築方法において前記柱梁建て方工程と、前記基礎残部打設工程は、平面的に区分けされた複数のスパン毎に行われ、前記柱梁建て方工程を実施するスパンと、前記基礎残部打設工程を実施するスパンとを異ならせるようにする。このような特徴を有する事により、上階工事と基礎工事を行うスパンが平面的に重なる事が無い。よって、上階工事中に物が落下する事などにより、基礎工事中の作業者が危険にさらされる虞がなく、工事を安全に進めることができる。
【発明の効果】
【００１３】
上記のような特徴を有する柱脚鉄筋ユニットによれば、捨てコン上への配置、固定を容易とし、かつ柱脚を構成するためのコンクリート打設をも容易に行うことが可能となる。また、このような効果を奏する柱脚鉄筋ユニットを用いた構築物の構築方法によれば、基礎残部打設工程と、上部構造の施工とをほとんど並行して進めることが可能となり、工期を短縮することができる。
【図面の簡単な説明】
【００１４】
【図１】実施形態に係る柱脚鉄筋ユニットの構成を示す斜視図である。
【図２】実施形態に係る柱脚鉄筋ユニットを構成する柱脚基礎打設用鉄筋部とアンカー部を分解した様子を示す部分分解斜視図である。
【図３】柱脚鉄筋ユニットの周囲にラス型枠を設置した場合の変形例を示す図である。
【図４】柱脚鉄筋ユニットを構成するアンカー部として鉄骨を採用する場合の例を示す図である。
【図５】主筋位置保持プレートに定着板を一体化させた場合の例を示す図である。
【図６】主筋保持プレートの平面形態を口の字型とした場合の例を示す図である。
【図７】主筋保持プレートの平面形態を井の字型とした場合の例を示す図である。
【図８】捨てコン打設工程の説明図である。
【図９】鉄筋ユニット配置工程の説明図である。
【図１０】トラック等により柱脚鉄筋ユニットを搬送する様子を示すイメージ図である。
【図１１】基礎筋配置工程の説明図である。
【図１２】基礎筋配置工程後、フーチング形成範囲に型枠を設置した様子を示す図である。
【図１３】コンクリート一部打設工程の説明図である。
【図１４】コンクリート一部打設工程において構成したフーチングの上部に柱部材を立設した様子を示す図である。
【図１５】柱梁建て方工程における鉄骨梁やデッキプレートの架設と、基礎残部打設工程を同時進行で行う様子を示す図である。
【図１６】広い面積の工事範囲を複数のスパンに分けた状態を説明するための図である。
【発明を実施するための形態】
【００１５】
以下、本発明の柱脚鉄筋ユニットおよび柱脚鉄筋ユニットを用いた構築物の構築方法に係る実施の形態について、図面を参照して詳細に説明する。
【００１６】
［柱脚鉄筋ユニット］
まず、本発明に係る柱脚鉄筋ユニットについて、図１および図２を参照して説明する。なお、図１は、実施形態に係る柱脚鉄筋ユニットの構成を示す斜視図であり、図２は、柱脚鉄筋ユニットを柱脚基部打設用鉄筋部とアンカー部とに分解した様子を示す部分分解斜視図である。
【００１７】
本実施形態に係る柱脚鉄筋ユニット１０は、柱脚基礎打設用鉄筋部１２と、アンカー部２４とを基本として構成されている。柱脚基礎打設用鉄筋部１２は、柱脚配置方向に沿って配置された複数の主筋１４（１４ａ，１４ｂ）と、この主筋１４を取り囲むように配置された複数の肋筋１６とを有する。主筋１４としては、例えば矩形の頂点に配置された長尺主筋１４ａと、各長尺主筋１４ａの間に配置された短尺主筋１４ｂとを備える。長尺主筋１４ａはネジ鉄筋とし、間に配置された短尺主筋１４ｂは、必要に応じてネジ鉄筋としても良い。ネジ鉄筋を用いると、汎用のネジ鉄筋用ナット等を螺合し、位置決めやレベル出し、付属物の配置位置調整などを行うことが可能となるからである。また、ネジ鉄筋を用いると、ネジ式定着金物を設置することにより、主筋長さを短くすることや、端部Ｌ型定着を省略できる。
【００１８】
長尺主筋１４ａは、短尺主筋１４ｂに比べて長尺となるように構成されており、配置時に上端の水平高さを揃えた場合には、下端側の突出量が多くなるように構成されている。長尺主筋１４ａの下端には、ベース金物１８が備えられている。ベース金物１８は、具体的構成は問わないが、例えば図１、図２に示すように、ソケット１８ａと、このソケット１８ａの一方の端部に設けられた平板１８ｂにより構成すれば良く、ベース金物１８の上部には、レベル調整ナット１７を備えるようにすると良い。長尺主筋１４ａの下端部に螺合しているレベル調整ナット１７を回転させてソケット１８ａに対する長尺主筋１４ａの挿嵌状態を調整することにより、柱脚鉄筋ユニット１０を安定して配置することができると共に、レベル出しや傾き調整を行うことが可能となるからである。また、ベース金物１８に平板１８ｂを備える事により、設置面となる捨てコン上にアンカーが埋設されている場合には、当該アンカーに対する固定面を構成することも可能となる。
【００１９】
短尺主筋１４ｂは、長尺主筋１４ａの間に複数配置される主筋であり、本実施形態に係る柱脚鉄筋ユニット１０の場合、その下端位置が長尺主筋１４ａよりも上側に位置し、浮いた状態となるように構成されている。このような構成とすることで、柱脚鉄筋ユニット１０のレベル出しや傾き調整を行う際、長尺主筋１４ａに備えたレベル調整ナット１７の螺合状態を調整すれば良いからである。また、各短尺主筋１４ｂ並びに長尺主筋１４ａの下端側には、定着体２０を備えるようにすると良い。定着体２０は、コンクリートに対する鉄筋の定着（抜け止め）を図る要素であり、例えば主筋１４としてネジ鉄筋を採用している場合には、プレートナットなどを螺合する構成とすることができる。このような定着体２０を備える構成とすることで、鉄筋を曲げる事なく簡易に、コンクリートへの定着を図ることができる。勿論、設計上定着長さが十分であれば、鉄筋曲げも定着体２０も不要である。
【００２０】
柱脚基礎打設用鉄筋部１２を構成する肋筋１６は、長尺主筋１４ａと、短尺主筋１４ｂの配置方向と直交する方向に配置され、複数の長尺主筋１４ａ、および短尺主筋１４ｂを囲繞するように配置される鉄筋であり、主筋１４を構成する鉄筋に比べて細いものとされている。肋筋１６は、長尺主筋１４ａおよび短尺主筋１４ｂの長手方向に沿って複数配置されている。
【００２１】
また、本実施形態に係る柱脚基礎打設用鉄筋部１２の内部には、主筋位置保持プレート２２ａ，２２ｂが配置されている。主筋位置保持プレート２２ａ，２２ｂは、柱脚基礎打設用鉄筋部１２の断面形状を維持するための補強と共に、柱脚基礎打設用鉄筋部１２に対して後述するアンカー部２４を接続支持する役割を担う要素である。主筋位置保持プレート２２ａ，２２ｂの具体的形態は問わないが、図１、図２に示す形態の場合、その平面形状をＸ型とし、長尺主筋１４ａのうち、対角線上に配置された長尺主筋１４ａ同士を接続するように構成している。また、図１、図２に示す例では、２つの主筋位置保持プレート２２ａ，２２ｂを備える構成としているが、さらに複数のプレートを備える構成としても良い。
【００２２】
ここで、上記説明、並びに図１、および図２では、４本の長尺主筋１４ａを矩形に配置することで、柱脚基礎打設鉄筋部１２の平面形状（断面形状）は、矩形とするように記載した。しかしながら、柱脚基礎打設鉄筋部１２の平面形状は、建築する建物の柱の形状等に応じて、多角形や円形とすることができ、必要に応じて長尺主筋１４ａの数を増減させるようにすれば良い。
【００２３】
アンカー部２４は、柱の下端部を支持するアンカーを構成する部位である。図１、および図２に示す例においてアンカー部２４は、柱脚基礎打設用鉄筋部１２を構成する主筋１４の配置方向に沿って配置された複数のアンカーボルト２６（図１、図２に示す例では８本）によって構成されている。複数のアンカーボルト２６は、柱を固定するために定められたボルト穴に対応する位置に備えられる。また、複数のアンカーボルト２６には、その位置決めのためのテンプレート２８が備えられている。
【００２４】
柱脚基礎打設用鉄筋部１２に対するアンカー部２４の固定は、その形態によって種々選択することができるが、図１、図２に示す形態の場合、アンカー部２４は、主筋位置保持プレート２２ａを介して固定するように構成されている。具体的には、図２に示すアンカー部２４は、アンカーボルト２６を２本一対として４箇所に備える構成としている。対を成すアンカーボルト２６の下端部には、定着板３０が備えられている。
【００２５】
定着板３０は、上部プレートと下部プレートより構成され、各プレートがアンカーボルト２６に対してナット３０ａにより固定されている。アンカー部２４は、この定着板３０の上部プレートと下部プレートの間に主筋位置保持プレート２２ａを挟み込んで固定することで、柱脚基礎打設用鉄筋部１２に対する固定が成される。
【００２６】
このような構成の柱脚鉄筋ユニット１０によれば、ＰＣａユニットに比べて軽量で、搬送コストが安価となる。また当然に、揚重機も小型化することができ、安価となる。また、作業現場において、柱脚を構成するための鉄筋の数の確認や、準備が不要となる。さらに、柱脚鉄筋ユニット１０を設置する際の傾き調整も容易に行うことができる。
【００２７】
［変形例］
また、上記実施形態では、柱脚鉄筋ユニット１０は、単に柱脚基礎打設用鉄筋部１２とアンカー部２４から構成されるように記載した。しかしながら、本実施形態に係る柱脚鉄筋ユニット１０は、図３に示すように、柱脚基礎打設用鉄筋部１２の外周に、ラス型枠３２等の付帯物を配置する構成としても良い。ラスなどの「型枠」を予め柱脚鉄筋ユニット１０に配置すれば、柱脚先行打設のための型枠を予めユニットに組み込むこととなり、現場での工数削減に寄与することができる。また、本変形例において、埋設部分に設ける型枠をラスとすれば型枠撤去工事が不要となる。このような構成とする場合において、柱脚鉄筋ユニット１０に梁筋や、はかま筋を貫通させるには、単にラスの一部に開口を設ければ良く、施工効率も良い。なお、打ち放し仕上げとしてコンクリート表面が現れる部分では、柱脚鉄筋ユニット１０に備える型枠として、ラスではない種類の型枠（撤去可能なもの）を配置するようにしても良い。
【００２８】
また上記実施形態においては、アンカー部２４について、単に複数のアンカーボルト２６を配置し、これを柱脚基礎打設用鉄筋部１２に接続する構成としている。しかしながら、本発明に係る柱脚鉄筋ユニット１０としては、図４に示すように、アンカー部２４として鉄骨を採用することもできる。このように、アンカー部２４の構成は、建築物の仕様によって、その形態を種々対応するものへと変換して構成することができる。
また、上記実施形態では、アンカーボルト２６を固定する定着板３０について、対を成すプレートにより構成され、主筋位置保持プレート２２ａを挟持する旨記載した。しかしながら、実施形態に係る主筋位置保持プレート２２ａは、図５に示すように、定着板３０を一体とした形態としても良い。
【００２９】
また、主筋位置保持プレート２２ｂに関しては、筋交部も不要とすることができるため、例えば図６に示すような口の字型や、図７に示すような井の字型の他、主筋１４の配置形態の補強に寄与することができれば、分割されている形態としても良い。
また、主筋位置保持プレート２２ａ，２２ｂは、その主面形態に沿ったリブ材を備え、剛性を高めるようにしても良い。リブ材により補強を行う事で、主筋位置保持プレート２２ａ，２２ｂ自体の厚みを厚くすることなく、部材の剛性（強度）を上げることができる。また、構成材料として薄肉材を使用することができるため、厚肉材による剛性強化に比べ、軽量化、および材料コストの低減を図る事もできる。
【００３０】
［構築方法］
次に、上記のような構成の柱脚鉄筋ユニット１０を用いた構築物の構築方法について、図８から図１６を参照して説明する。
まず、図８に示すようにして、施工範囲における基礎形成部に生コンクリート５０を打設する（捨てコン打設工程）。生コンクリート５０が硬化した後、図９に示すように、予め定められた柱設置位置に柱脚鉄筋ユニット１０を配置する。ここで、柱脚鉄筋ユニット１０は、予め工場、あるいは現場敷地内の先組ヤード等で組み上げたものを施工現場に搬入する。柱脚鉄筋ユニット１０の搬入は、図１０にイメージを示すようにトラック等によって搬送すれば良い。このため、搬送形態がＰＣａユニットを用いる場合と近似するが、鉄筋、あるいは鉄筋と鉄骨のみの構成とされる柱脚鉄筋ユニット１０は、ＰＣａユニットに比べて軽量で、同じ積載能力を有するトラックで運べる数量を増やすことができる（鉄筋ユニット配置工程）。なお、柱脚鉄筋ユニット１０を運搬・揚重する際に、ユニットの剛性が不足する場合には、図９に二点鎖線で示すような斜め補強筋３４を肋筋１６に結束するなどして、剛性を向上させると良い。振動によるズレ防止や、精度確保を図ることができるからである。ここで、斜め補強筋３４を埋設させる場合に、そのかぶり寸法が不足する部分が生じる場合には、斜め補強筋３４を主筋１４の内側に組み込む構成とすることで、柱脚鉄筋ユニット１０の外形寸法を抑えるようにしても良い。
【００３１】
また、柱脚鉄筋ユニット１０の剛性を高める手段としては、上述した斜め補強筋３４を組み込む事の他、主筋位置保持プレート２２ａ，２２ｂの数を増やすという手段もある。このため、いずれの手段により柱脚鉄筋ユニット１０における剛性の向上を図るかは、施工条件を考慮の上、設計判断すれば良い。
【００３２】
柱脚鉄筋ユニット１０を配置した後、柱脚鉄筋ユニット１０を含む基礎を構成するための鉄筋を配置する。具体的には図１１に示すように、柱脚鉄筋ユニット１０の側面を貫通させるように配置する、地中梁や柱脚鉄筋ユニット１０の下部フーチングを構成するための主筋５２，５４の挿通を行う。次いで、地中梁を構成するための肋筋５６、およびフーチングを構成するための肋筋５８の配置を行う（基礎筋配置工程）。
【００３３】
基礎筋配置工程終了後、図１２に示すように、フーチングを構成する範囲に止め型枠６０を設置する。その後、止め型枠６０を設置した範囲に生コンクリートを打設して、図１３に示すようなフーチング６２を構成する。実施形態に係る柱脚鉄筋ユニット１０は、既に主筋１４と肋筋１６を備えているため、周囲に型枠を設置するだけで容易にコンクリートを打設して、フーチング６２を構成することができる（コンクリート一部打設工程）。ここで、例えば柱脚鉄筋ユニット１０として、図３に示すようなラス型枠３２を備えるものを採用する場合に、コンクリート埋設部分にラス（ラス型枠３２）を配置する構成とすることで、型枠撤去工程が不要となると共に、上述したように、梁筋や、はかま筋（地中梁や下部フーチングを構成するための主筋５２，５４や肋筋５６，５８）を貫通させることも容易となり、施工効率を向上させることができる。
【００３４】
フーチング等一部基礎形成後、柱脚鉄筋ユニット１０を介して構成されたフーチング６２から突出するアンカーボルト２６に柱部材６４を設置、固定する（図１４参照）その後、図１５に示すように、立設した柱部材６４間に上層階の鉄骨梁６６や床デッキプレート６８等を架設する（柱梁建て方工程）。また、一部基礎形成後、柱梁建て方工程と並行して、残りの基礎部分について、地中梁を形成するための止め型枠を設置し（不図示）、コンクリート打設等の基礎工事を行う（基礎残部打設工程）。ここで、柱梁建て方工程と基礎残部打設工程とは、図１５に示すように上下で重ならない位置で作業を行うようにする。上層階からの物の落下による事故等を防止する観点からである。
【００３５】
また、本実施形態に係る建築工法を実施する場合、例えば図１６に示すＡ〜Ｈのそれぞれが、工事区域を区分けした各スパンであるとした場合、柱梁建て方工程と、基礎残部打設工程は、それぞれ異なるスパンをスタートとして、時計回り、あるいは反時計回りでスパンを切り替えるように作業を進めるようにすると良い。より具体的には、例えば柱梁建て方工程については、スパンＡを基点として、時計回りにスパンＥ、スパンＦ、スパンＧ、スパンＨ、スパンＤ、スパンＣ、スパンＢと作業を進めるようにすれば良い。一方、基礎残部打設工程では、例えばスパンＨを基点として、スパンＤ、スパンＣ、スパンＢ、スパンＡ、スパンＥ、スパンＦ、スパンＧといった順序で作業進めるようにすれば良い。
【００３６】
このように、本実施形態に係る柱脚鉄筋ユニットを用いた建築工法によれば、上層階の梁の建て方作業のような上部構造工事を、基礎工事の完了を待たずに前倒しで行う事が可能となる。よって、平面積が大きい倉庫のような多スパン建物の工期を大幅に短縮することが可能となる。
【００３７】
また、実施形態に係る柱脚鉄筋ユニット１０は、ユニット化する構成範囲をさらに広げたものであっても良い。例えば、柱脚鉄筋ユニット１０の近傍に配される地中梁の主筋５２（地中梁の主筋の一部）や、この主筋５２周りの肋筋５６を予め配筋し、これを１つのユニットとするものである。このような大型ユニットを捨てコン配置工程後に生コンクリート５０上に配置し、下部フーチングを構成するための主筋５４や肋筋５８を配筋することで、現場施工時における揚重回数や工数の低減を図ることができる。なお、実施形態に係る柱脚鉄筋ユニット１０は、ＰＣａに比べて軽量なため、このような大型ユニットを構成した場合であっても、運搬、および揚重に支障を来すことがない。
【産業上の利用可能性】
【００３８】
上記実施形態においては、基礎工事と上層階（例えば２階部分の梁、床のデッキ工事等）を並行して行う点を記載し、この場合には、柱梁建て方工程と、基礎残部打設工程とを異なるスパンで行う事が良い旨記載した。しかしながら、例えば５階建ての建物の場合、２階の床のデッキ工事が終われば（または床打設工程が終われば）、３階以上の建て方工程と基礎残部打設工程とを同じスパンで行うこともできる。上述した上層階工事部からの落下物による事故の危険性が無いからである。このような工法によれば、２階の床部分が日陰、あるいは雨除けとなるため、暑中や雨天時の作業環境が改善されることとなる。
【００３９】
また、上記実施形態においては、柱梁鉄筋ユニット１０の上部に立設する柱について、アンカーボルト２６に接続される鉄骨柱などを想定して記載しているが、柱脚部としての利用が可能であれば、上部構造物に関する限定は無い。例えば鉄筋コンクリートによる柱を適用したり、柱脚部と柱の間に免震ユニットを介在させるような適用方法であっても良い。
【００４０】
また、柱脚鉄筋ユニット１０のアンカー部２４に対する柱の接続、固定工法等についても限定するものでは無く、既存の各種技術を適用することができ、例えばＮＣベース工法などの適用も可能となる。
【００４１】
さらに、上記実施形態では、主に建物を対象とした柱脚鉄筋ユニット、およびこれを用いた構築方法であるように説明したが、橋梁など、建築物以外の構造物を構築する際に適用することもできる。
【００４２】
また、当然に、上記実施形態に係る構築方法を実施するにあたっては、既知の施工技術を適用することで、施工精度の向上や労力の軽減を図るようにしても良い。例えば、柱脚鉄筋ユニット１０の高さが高い場合には、上述した特許文献１に開示されているような仮設斜材（斜め鉄筋）を配置し、柱脚鉄筋ユニット１０の水平維持を図るようにしても良い。
【００４３】
また、柱脚鉄筋ユニット１０の設置に関する汎用性が高いことより、柱脚鉄筋ユニット１０の設置個所に杭頭などが突設している場合には、当該杭頭を避ける治具金物を配置し、この治具金物に対して柱脚鉄筋ユニット１０を配置するようにしても良い。
【符号の説明】
【００４４】
１０………柱脚鉄筋ユニット、１２………柱脚基礎打設用鉄筋部、１４………主筋、１４ａ………長尺主筋、１４ｂ………短尺主筋、１６………肋筋、１７………レベル調整ナット、１８………ベース金物、１８ａ………ソケット、１８ｂ………平板、２０………定着体、２２ａ，２２ｂ………主筋位置保持プレート、２４………アンカー部、２６………アンカーボルト、２８………テンプレート、３０………定着板、３０ａ………ナット、３２………ラス型枠、３４………斜め補強筋、５０………生コンクリート、５２………主筋、５４………主筋、５６………肋筋、５８………肋筋、６０………止め型枠、６２………フーチング、６４………柱部材、６６………鉄骨梁、６８………デッキプレート。
【図１】
2019056284.tif 000003
【図２】
2019056284.tif 000004
【図３】
2019056284.tif 000005
【図４】
2019056284.tif 000006
【図５】
2019056284.tif 000007
【図６】
2019056284.tif 000008
【図７】
2019056284.tif 000009
【図８】
2019056284.tif 000010
【図９】
2019056284.tif 000011
【図１０】
2019056284.tif 000012
【図１１】
2019056284.tif 000013
【図１２】
2019056284.tif 000014
【図１３】
2019056284.tif 000015
【図１４】
2019056284.tif 000016
【図１５】
2019056284.tif 000017
【図１６】
2019056284.tif 000018